(57)【要約】【課題】使用者が使用目的に応じ、広範囲の光が必要な場合や、狭い範囲でより高照度が必要な場合にも手軽に配光が変えられるようにする。【解決手段】複数のＬＥＤ２を光源として配置した基板１と、この基板１の光源側に配置されて少なくとも２種類以上の配光を制御するレンズ３とを備え、レンズ３を可動とすることにより配光を切替え可能とした。また、レンズ３は、配光が異なる複数の配光部分３ａ，３ｂを照射側面に並設した１枚の板状であり、レンズ３を直線上に移動可能とした。これにより、ＬＥＤ２の光がレンズにより広がりまたは集光させるような可変配光を実現することができ、広範囲の光が必要な場合や、狭い範囲でより高照度が必要な場合にも使用者がレンズを可動させることで手軽に変えることができる。【選択図】        図１
2004199891.tif 000002
【特許請求の範囲】
【請求項１】
複数のＬＥＤを光源として配置した基板と、この基板の前記光源側に配置されて少なくとも２種類以上の配光を制御するレンズとを備え、前記レンズを可動とすることにより配光を切替え可能としたことを特徴とする照明器具。
【請求項２】
レンズは、配光が異なる複数の配光部分を照射側面に並設した１枚の板状である請求項１記載の照明器具。
【請求項３】
レンズを直線上に移動可能とした請求項２記載の照明器具。
【請求項４】
レンズを照射側面に対して垂直軸周りに回転可能とした請求項２記載の照明器具。
【請求項５】
レンズは、配光が異なる複数の配光部分を周面に設け、照射方向に対して略直交する方向に配置した柱または筒状であり、前記レンズを軸周りに回転可能とした請求項１記載の照明器具。
【発明の詳細な説明】
【０００１】
【発明の属する技術分野】
この発明は、特に光源としてＬＥＤを用いた照明器具に関するものである。
【０００２】
【従来の技術】
従来のＬＥＤを光源とした照明器具は、各々のＬＥＤ自身がレンズと一体となったもの、および一定の配光だけのレンズを取り付けるものである。しかし、このうよな従来の照明器具では配光を変えることはできなかった。
【０００３】
また、プリズムレンズ板からなる光学制御手段を可動するＬＥＤ照明モジュールがある（例えば、特許文献１）。この場合、ＬＥＤチップを有する基板と平行する面方向に回転自在に配置したプリズムレンズ板を備えている。このプリズムレンズ板の向きを変えることにより配光を制御することができる。
【０００４】
【特許文献１】
特開平１１−１６２２３２号公報（段落００１７、図６等）
【０００５】
【発明が解決しようとする課題】
しかしながら、使用目的によっては、広範囲の光が必要な場合や、狭い範囲でより高照度が必要な場合がある。特許文献１では、プリズムレンズ板は一定の凹凸形状が形成された構成であるため、プリズムレンズ板を回転させると、ＬＥＤチップ全体の配光を制御して混色の具合を変化させるが、広範囲での照明や、狭い範囲でより高照度の照明を行うことができなかった。
【０００６】
したがって、この発明の目的は、使用者が使用目的に応じ、広範囲の光が必要な場合や、狭い範囲でより高照度が必要な場合にも手軽に配光が変えられる照明器具を提供することである。
【０００７】
【課題を解決するための手段】
上記課題を解決するためにこの発明の請求項１記載の照明器具は、複数のＬＥＤを光源として配置した基板と、この基板の前記光源側に配置されて少なくとも２種類以上の配光を制御するレンズとを備え、前記レンズを可動とすることにより配光を切替え可能とした。
【０００８】
このように、複数のＬＥＤを光源として配置した基板と、この基板の光源側に配置されて少なくとも２種類以上の配光を制御するレンズとを備え、レンズを可動とすることにより配光を切替え可能としたので、ＬＥＤの光がレンズにより広がりまたは集光させるような可変配光を実現することができ、広範囲の光が必要な場合や、狭い範囲でより高照度が必要な場合にも使用者がレンズを可動することで手軽に変えることができる。
【０００９】
請求項２記載の照明器具は、請求項１記載の照明器具において、レンズは、配光が異なる複数の配光部分を照射側面に並設した１枚の板状である。このように、レンズは、配光が異なる複数の配光部分を照射側面に並設した１枚の板状であるので、複数の配光部分の中から所望の配光部分を照射することにより配光を制御することができる。
【００１０】
請求項３記載の照明器具は、請求項２記載の照明器具において、レンズを直線上に移動可能とした。このように、レンズを直線上に移動可能としたので、ＬＥＤと対応する配光部分がレンズの直線移動により変わり、１台の器具で２種類以上の配光に切替えられる。
【００１１】
請求項４記載の照明器具は、請求項２記載の照明器具において、レンズを照射側面に対して垂直軸周りに回転可能とした。このように、レンズを照射側面に対して垂直軸周りに回転可能としたので、ＬＥＤと対応する配光部分がレンズの回転可動により変わり、１台の器具で２種類以上の配光に切替えられる。
【００１２】
請求項５記載の照明器具は、請求項１記載の照明器具において、レンズは、配光が異なる複数の配光部分を周面に設け、照射方向に対して略直交する方向に配置した柱または筒状であり、前記レンズを軸周りに回転可能とした。このように、レンズは、配光が異なる複数の配光部分を周面に設け、照射方向に対して略直交する方向に配置した柱または筒状であり、レンズを軸周りに回転可能としたので、ＬＥＤと対応する配光部分がレンズの軸周りの回転可動により変わり、１台の器具で２種類以上の配光に切替えられる。
【００１３】
【発明の実施の形態】
この発明の第１の実施の形態を図１および図２に基づいて説明する。図１（ａ）はこの発明の第１の実施の形態の照明器具の状態を示す正面図、（ｂ）は平面図、図２はこの発明の第１の実施の形態の照明器具の他の状態を示す正面図、（ｂ）は平面図である。
【００１４】
図１および図２に示すように、この照明器具は、複数のＬＥＤ２を光源として配置した基板１と、この基板１のＬＥＤ２側に配置されて少なくとも２種類以上の配光を制御するレンズ３とを備えている。
【００１５】
基板１は矩形の板状であり、長手方向に一定のピッチで複数のＬＥＤ２が行列状に配列されている。また、同一レンズ３内に２種類以上の異なる配光の出る部分を形成し、ＬＥＤ２のレイアウトに合わせて、レンズ３を可動することにより、配光を手軽に変えられるようにしている。この場合、レンズ３は、配光が異なる複数の配光部分３ａ，３ｂを照射側面に並設した１枚の板状であり、レンズ３を直線上に移動させることにより配光を切替え可能とした。例えば、配光部分３ａは広範囲の照明を行うことができ、配光部分３ｂは狭い範囲で高照度の照明を行うことができる。また、配光部分３ａ，３ｂは、ＬＥＤ２のピッチの半分のピッチで交互に配置される。
【００１６】
上記照明器具の使用状態について説明する。狭い範囲でより高照度が必要な場合は、図１に示すように、レンズ３を一方に移動し、ＬＥＤ２と配光部分３ｂを対応させる。この場合、主に配光部分３ｂからの配光となる。また、広範囲の光が必要な場合は、図２に示すように、レンズ３を他方に移動し、ＬＥＤ２と配光部分３ａを対応させる。この場合、主に配光部分３ａからの配光となり、１台の照明器具で２種以上の配光に切替えられる。
【００１７】
以上のようにこの実施の形態によれば、ＬＥＤ２の光がレンズ３により広がりまたは集光させるような可変配光を実現することができ、広範囲の光が必要な場合や、狭い範囲でより高照度が必要な場合にも使用者がレンズを可動することで手軽に変えることができる。レンズ３の配光部分は３種類以上も考えられる。また、ＬＥＤとレンズを１対１の対応にし、それをＯＮ／ＯＦＦするような、電気的な配光可変も考えられるが、それに比べＬＥＤの数を大幅に減らすことができる。
【００１８】
この発明の第２の実施の形態を図３に基づいて説明する。図３（ａ）はこの発明の第２の実施の形態の照明器具の基板の平面図、（ｂ）はレンズの状態を示す平面図、（ｃ）はレンズの他の状態を示す平面図である。
【００１９】
図３に示すように、この照明器具は、ＬＥＤ２を光源として配置した基板４と、この基板４のＬＥＤ２側に配置されて少なくとも２種類以上の配光を制御するレンズ５とを備え、レンズ５を可動とすることにより配光を切替え可能としている。
【００２０】
基板４は円板状であり、その一部分、例えば中心を挟んで両側の中心角約６０度の領域にＬＥＤ２が複数配列されている。レンズ５は、配光が異なる複数の配光部分５ａ，５ｂ，５ｃを照射側面に並設した１枚の円板状であり、レンズ５を照射側面に対して垂直軸周りに回転させることにより配光を切替え可能とした。この場合、配光部分５ａ，５ｂ，５ｃは、基板４の中心周りに約６０度の領域毎に順に複数個ずつ配列されている。各々の配光部分５ａ，５ｂ，５ｃの数と配置はＬＥＤ２に対応させている。また、配光部分５ａ，５ｂ，５ｃは、それぞれ照射範囲や照度を変えた照明を行うことができる。
【００２１】
上記照明器具の使用状態については、例えば、所望の配光部分５ｃとＬＥＤ２とが対応するようにレンズ５を回転させる（図３（ｂ））。この状態から一方にレンズ５を約６０度回転させると配光部分５ｂの配光となり（図３（ｃ））、さらにレンズ５を約６０度回転させると配光部分５ａの配光となる。この実施の形態でも、第１の実施の形態と同様に１台の照明器具で２種以上の配光に切替えられ、同様の作用効果が得られる。
【００２２】
この発明の第３の実施の形態を図４および図５に基づいて説明する。図４（ａ）はこの発明の第３の実施の形態の照明器具の状態を示す側面図、（ｂ）は正面図、図５はこの発明の第３の実施の形態の照明器具の他の状態を示す側面図、（ｂ）は正面図である。
【００２３】
図４および図５に示すように、この照明器具は、ＬＥＤ２を光源として配置した基板６と、この基板６のＬＥＤ２側に配置されて少なくとも２種類以上の配光を制御するレンズ７とを備え、レンズ７を可動とすることにより配光を切替え可能としている。
【００２４】
基板６は矩形の細長い板状であり、長手方向に一定のピッチでＬＥＤ２が複数配列されている。レンズ７は、凸面からなる配光部分７ａと凹面からなる配光部分７ｂとが外周面に形成されるとともに照射方向に対して略直交する方向に配置した柱状であり、入射方向により配光が異なる構成である。この場合、レンズ７を軸周りに回転させることにより、配光部分７ａまたは配光部分７ｂに光が入射する。配光部分７ｂに入射した光は広がり、広範囲の照明を行うことができる。また、配光部分７ａに入射した光は集光され、狭い範囲で高照度の照明を行うことができる。
【００２５】
上記照明器具の使用状態については、例えば、配光部分７ｂによる配光を行う場合、配光部分７ｂとＬＥＤ２とが対応するようにレンズ７を回転させる（図４）。この状態からレンズ７を約９０度回転させると配光部分７ａによる配光となる（図５）。この実施の形態でも、第１の実施の形態と同様に１台の照明器具で２種以上の配光に切替えられ、同様の作用効果が得られる。
【００２６】
この発明の第４の実施の形態を図６および図７に基づいて説明する。図６はこの発明の第４の実施の形態の照明器具の斜視図、図７はこの発明の第４の実施の形態の照明器具の状態説明図である。
【００２７】
図６に示すように、この照明器具は、ＬＥＤ２を光源として配置した基板８と、この基板８のＬＥＤ２側を含む周囲に配置されて少なくとも２種類以上の配光を制御するレンズ９とを備え、レンズ９を可動とすることにより配光を切替え可能としている。
【００２８】
基板８は矩形の細長い板状であり、長手方向に一定のピッチでＬＥＤ２が複数配列されている。レンズ９は、凸面からなる配光部分９ａ、一面のみ傾斜した複数の山形からなる配光部分９ｂ、凹面からなる配光部分９ｃおよび両面傾斜した複数の山形からなる配光部分９ｄが内周面に形成されるとともに照射方向に対して略直交する方向に配置した筒状であり、入射方向により配光が異なる構成である。この場合、レンズ９を軸周りに回転させることにより、上記配光部分９ａ〜９ｄのいずれかに光が入射する。配光部分９ａに入射した光は中央に集光される。配光部分９ｂに入射した光は一方向に偏光される。配光部分９ｃに入射した光は直進または広がる。配光部分９ｄに入射した光は中央に集光される光と広がる光に分けられる。
【００２９】
上記照明器具の使用状態については、例えば、配光部分９ａによる配光を行う場合、配光部分９ａとＬＥＤ２とが対応するようにレンズ９を回転させる（図７（ａ））。この状態からレンズ９をＡ方向に約９０度回転させると配光部分９ｂによる配光となる（図７（ｂ））。以下、同様にレンズ９をＡ方向に約９０度ずつ回転させると配光部分９ｃ，９ｄによる配光となる。この実施の形態でも、第１の実施の形態と同様に１台の照明器具で２種以上の配光に切替えられ、同様の作用効果が得られる。
【００３０】
この発明の第５の実施の形態を図８および図９に基づいて説明する。図８（ａ）はこの発明の第５の実施の形態の照明器具の正面図、（ｂ）は側面図、図９はこの発明の第５の実施の形態の照明器具の状態説明図である。
【００３１】
図８に示すように、この照明器具は、ＬＥＤ２を光源として配置した基板１０と、この基板１０のＬＥＤ２側に配置されて少なくとも２種類以上の配光を制御するレンズ１１とを備え、レンズ１１を可動とすることにより配光を切替え可能としている。
【００３２】
基板１０は矩形の細長い板状であり、長手方向に一定のピッチでＬＥＤ２が複数配列されている。レンズ１１は、基板１０を内部に埋め込んだ状態で一体に形成された柱状であり、複数のＬＥＤ２に対向配置される複数の配光部分１１ａを有する。また、図９に示すように、基板１０およびレンズ１１が複数並設され、各々のレンズ１１を軸周り回転させることにより、レンズ１１とともに基板１０が回転して照射方向を変えることができる。また、複数のレンズ１１は連動して回転してもよく、また個別に回転してもよい。
【００３３】
上記照明器具の使用状態については、図９（ｂ）の状態から（ａ）に示すように、複数のレンズ１１を回転させて傾斜させることで一方向へ照射することができる。また、図９（ｂ）では、照明器具の真下を照射することができる。この実施の形態でも、第１の実施の形態と同様に１台の照明器具で２種以上の配光に切替えられる。また、器具の薄型化が図れるとともに、器具の高さが変化することなく、照射方向が変えられる。
【００３４】
【発明の効果】
この発明の請求項１記載の照明器具によれば、複数のＬＥＤを光源として配置した基板と、この基板の光源側に配置されて少なくとも２種類以上の配光を制御するレンズとを備え、レンズを可動とすることにより配光を切替え可能としたので、ＬＥＤの光がレンズにより広がりまたは集光させるような可変配光を実現することができ、広範囲の光が必要な場合や、狭い範囲でより高照度が必要な場合にも使用者がレンズを可動することで手軽に変えることができる。
【００３５】
請求項２では、レンズは、配光が異なる複数の配光部分を照射側面に並設した１枚の板状であるので、複数の配光部分の中から所望の配光部分を照射することにより配光を制御することができる。
【００３６】
請求項３では、レンズを直線上に移動可能としたので、ＬＥＤと対応する配光部分がレンズの直線移動により変わり、２種類以上の配光に切替えられる。
【００３７】
請求項４では、レンズを照射側面に対して垂直軸周りに回転可能としたので、ＬＥＤと対応する配光部分がレンズの回転可動により変わり、１台の器具で２種類以上の配光に切替えられる。
【００３８】
請求項５では、レンズは、配光が異なる複数の配光部分を周面に設け、照射方向に対して略直交する方向に配置した柱または筒状であり、レンズを軸周りに回転可能としたので、ＬＥＤと対応する配光部分がレンズの軸周りの回転可動により変わり、１台の器具で２種類以上の配光に切替えられる。
【図面の簡単な説明】
【図１】（ａ）はこの発明の第１の実施の形態の照明器具の状態を示す正面図、（ｂ）は平面図である。
【図２】この発明の第１の実施の形態の照明器具の他の状態を示す正面図、（ｂ）は平面図である。
【図３】（ａ）はこの発明の第２の実施の形態の照明器具の基板の平面図、（ｂ）はレンズの状態を示す平面図、（ｃ）はレンズの他の状態を示す平面図である。
【図４】（ａ）はこの発明の第３の実施の形態の照明器具の状態を示す側面図、（ｂ）は正面図である。
【図５】この発明の第３の実施の形態の照明器具の他の状態を示す側面図、（ｂ）は正面図である。
【図６】この発明の第４の実施の形態の照明器具の斜視図である。
【図７】この発明の第４の実施の形態の照明器具の状態説明図である。
【図８】（ａ）はこの発明の第５の実施の形態の照明器具の正面図、（ｂ）は側面図である。
【図９】この発明の第５の実施の形態の照明器具の状態説明図である。
【符号の説明】
１，４  基板
２  ＬＥＤ
３，５  レンズ
３ａ，３ｂ，５ａ，５ｂ，５ｃ  配光部分
６，８，１０  基板
７，９，１１  レンズ
７ａ，７ｂ，９ａ，９ｂ，９ｃ，９ｄ  配光部分
【図１】
2004199891.tif 000003
【図２】
2004199891.tif 000004
【図３】
2004199891.tif 000005
【図４】
2004199891.tif 000006
【図５】
2004199891.tif 000007
【図６】
2004199891.tif 000008
【図７】
2004199891.tif 000009
【図８】
2004199891.tif 000010
【図９】
2004199891.tif 000011